(57)【特許請求の範囲】
【請求項１】
人が出入りする扉を備え、冷却装置により貯蔵室内を冷却して成る冷却貯蔵庫において、
前記貯蔵室内に設けられた監禁警報スイッチと、前記冷却装置の運転を制御する制御装置を備え、この制御装置は、前記監禁警報スイッチが操作された場合、前記貯蔵室外への所定の警報動作を実行すると共に、前記冷却装置の運転を停止し、当該冷却装置が備える霜取ヒータに通電することを特徴とする冷却貯蔵庫。
【発明の詳細な説明】
【０００１】
【発明の属する技術分野】
本発明は、人が出入りする扉を備えた冷却貯蔵庫に関するものである。
【０００２】
【従来の技術】
従来よりプレハブ冷蔵庫等の大型の冷却貯蔵庫においては、例えば特開平８−２００９３２号公報に示される如く、人が出入りする扉を備え、この扉を開閉して作業者が直接貯蔵室内に出入りして貯蔵物の納出を行っていた。また、貯蔵室内は冷却器や送風機を備えた冷却装置によって所定の冷蔵若しくは冷凍温度に冷却していた。
【０００３】
【発明が解決しようとする課題】
ところで、係る冷却貯蔵庫では扉周辺の氷結或いは扉自体の故障などの原因により、作業者が貯蔵室内に閉じこめられる（監禁）場合がある。そこで、従来では前記公報に示される如く、冷却貯蔵庫外に警報装置を取り付けると共に、貯蔵室内にはスイッチを設け、閉じこめられた人がこのスイッチを操作すれば、外部の警報装置が動作する仕組みとされていた。
【０００４】
しかしながら、例えば深夜の作業時など、作業員が一人で作業している状況では、係る警報装置が動作したとしても外部の人間に気づかれない危険性がある。係る場合には、監禁された人は冷蔵若しくは冷凍と云う極めて低温の環境下に長時間晒されることになるため、生命が危険な状態に陥る問題があった。
【０００５】
本発明は、係る従来の技術的課題を解決するために成されたものであり、貯蔵室内に人が監禁された場合にも、生命が危険な状態に陥ることをできるだけ回避できる冷却貯蔵庫を提供するものである。
【０００６】
【課題を解決するための手段】
本発明の冷却貯蔵庫は、人が出入りする扉を備え、冷却装置により貯蔵室内を冷却して成るものであって、貯蔵室内に設けられた監禁警報スイッチと、冷却装置の運転を制御する制御装置を備え、この制御装置は、監禁警報スイッチが操作された場合、貯蔵室外への所定の警報動作を実行すると共に、冷却装置の運転を停止し、冷却装置が備える霜取ヒータに通電することを特徴とする。
【０００７】
本発明によれば、人が出入りする扉を備え、冷却装置により貯蔵室内を冷却して成る冷却貯蔵庫において、貯蔵室内に設けられた監禁警報スイッチと、冷却装置の運転を制御する制御装置を設け、この制御装置により、監禁警報スイッチが操作された場合、貯蔵室外への所定の警報動作を実行すると共に、冷却装置の運転を停止するようにしたので、扉の故障などにより、貯蔵室内に人が監禁された場合、監禁警報スイッチが操作されれば、貯蔵室外へ所定の警報動作を実行するのに加えて、冷却装置の運転が停止されるようになる。
【０００８】
これにより、万一警報が気付かれない場合にも、貯蔵室内が冷却装置によってそれ以上冷却されることを回避することができるようになり、監禁された人の生命が危険な状態に陥る危険性を低減することができるようになる。
【０００９】
特に、監禁警報スイッチが操作された場合、冷却装置が備える霜取ヒータに通電するようにしたので、霜取ヒータによって貯蔵室内の温度を上昇させ、監禁された人が低温により衰弱する危険性を最小限に抑えることが可能となるものである。
【００１０】
【発明の実施の形態】
以下、図面に基づき本発明の実施形態を詳述する。図１は本発明の冷却貯蔵庫１の断面図、図２は冷却貯蔵庫１の扉の要部断面図、図３は冷却貯蔵庫１の制御装置１２のブロック図である。
【００１１】
実施例の冷却貯蔵庫１は所謂プレハブ冷蔵庫であり、断熱性能を有する断熱壁２と、断熱壁２の前面に形成された開口３と、この開口３を開閉自在に閉塞するために設けられた断熱性能を有する扉４により内部に貯蔵室５を構成している。また、この貯蔵室５内天部には、当該貯蔵室５を冷蔵若しくは冷凍温度に冷却する冷却器６及び冷却ファン７が取り付けられており、これらは貯蔵室５外に設けられた図示しない圧縮機及び凝縮器などを有する室外ユニットと接続されて周知の冷却装置を構成している。尚、３２は冷却器６に取り付けられた霜取ヒータ（電気ヒータ）である。
【００１２】
断熱性能を有する扉４の前面には、ラッチ本体２１が取り付けられると共に、扉４が開閉自在に閉塞する開口３を構成する断熱壁２には、扉４の閉扉状態におけるラッチ本体２１に対応する位置にラッチ受け２６が取り付けられている。このラッチ受け２６の先端にあるラッチ受けローラ２５の断熱壁２側にラッチ本体２１から突出するフック２４が係合することによって扉４を閉扉状態に保持する。
【００１３】
ラッチ本体２１は内部に機構部２９を有し、庫外（貯蔵室５外）側のハンドル２２の操作にてフック２４が出没すると共に、貯蔵室３内側から扉４を貫通する庫内側操作用押桿２３の操作によっても前記フック２４は出没自在に構成されている。これによって、フック２４とラッチ受けローラ２５との係合は、庫内外双方から解除可能とされている。
【００１４】
また、ラッチ本体２１内部が貯蔵室５内からの冷気や庫外温度条件によって凍結し、フック２４の出没動作が不能となった場合には、貯蔵室５内に作業員が閉じこめられる危険性があるため、ラッチ受け２６は貯蔵室５内側から断熱壁２を貫通する解除軸２７によって断熱壁２に固定されている。これにより、ラッチ本体２１の動作不能時には、緊急脱出用ハンドル２８を用いて貯蔵室５内から解除軸２７を弛め、断熱壁２からラッチ受け２６を脱落させて扉４を開放できる構造とされている。尚、３０は開口３周縁と扉４間をシールするガスケットである。
【００１５】
次に、図３において制御装置１２について説明する。制御装置１２は扉４が設けられた断熱壁２の庫外側に取り付けられており、汎用マイクロコンピュータＭＣにて構成されている。マイクロコンピュータＭＣには、運転制御用のプログラムと警報制御用のプログラムが予め書き込まれている。
【００１６】
制御装置１２には、マイクロコンピュータＭＣの他、入力制御手段４１Ａ〜４１Ｄ、出力制御手段４２Ａ、４２Ｂ、各種設定値の記憶を行う不揮発性メモリであるＥＥＰＲＯＭ４３が取り付けられており、基板の配線パターンによりそれぞれマイクロコンピュータＭＣの所定のポートに配線接続されている。
【００１７】
前記入力制御手段４１Ａ〜４１Ｄには、キースイッチ４４（警報解除スイッチも含む）、ディップスイッチ４６、ＡＣ信号１、２・・（外部タイマなど）から成るＡＣ信号回路４７や、貯蔵室５内の温度（実際には吐出冷気温度）を検出する温度センサ８の出力がそれぞれ接続されている。
【００１８】
前記出力制御手段４２Ｂ、４２Ａには、冷却貯蔵庫１の冷却器６への冷媒供給を制御する液電磁弁または前記圧縮機、冷却ファン７を駆動し、或いは、冷却器６の霜取ヒータ３２を通電するためのリレー１、２・・から成るリレー回路５１や警報手段となる庫外に設けられたブザー５２（マイクロコンピュータＭＣの監禁警報出力開で停止、閉で動作）、ＬＥＤから構成されるデジタル式の前記表示部５３がそれぞれ接続されている。また、マイクロコンピュータＭＣには貯蔵室５内の扉４の近傍などに配設された監禁警報スイッチ１０がケーブル１１を介して接続されている。
【００１９】
以上の構成で制御装置１２のマイクロコンピュータＭＣは、キースイッチ４４から入力された温調温度（冷蔵の場合には＋５℃程、冷凍の場合には−２０℃程）の設定値と温度センサ８から送られてくる貯蔵室５内の温度を比較し、貯蔵室５内の温度が上記温調温度の設定値となるようにリレー回路５１にて圧縮機の運転或いは液電磁弁の動作、及び、冷却ファン７の運転を制御する（温度制御）。また、定期的に霜取ヒータ３２に通電して冷却器６に成長した着霜を融解除去する（霜取制御）。
【００２０】
次に、図４を参照しながらマイクロコンピュータＭＣによる監禁警報動作について説明する。図４はマイクロコンピュータＭＣの監禁警報動作のプログラムを示すフローチャートである。先ず、マイクロコンピュータＭＣはステップＳ１で監禁警報フラグがセットされているか否か判断し、リセットされていればステップＳ２に進んで監禁警報スイッチ１０が押されたか判断する。押されていなければステップＳ４に進み、再び監禁警報フラグがセットされているか否か判断する。
【００２１】
セットされていなければステップＳ１１に進み、上記冷却装置による温度制御並びに霜取ヒータ３２による霜取制御を実行する。また、ステップＳ１２で表示部５３に貯蔵室５の温度をデジタル表示すると共に、前記リレー回路５１の監禁警報出力を開としてブザー５２は停止している。
【００２２】
ここで、前述の作業員が監禁された緊急事態でも、解除軸２７が凍り付いて緊急脱出用ハンドル２８を回すことができなかったり、解除軸２７を弛めて断熱壁２からラッチ受け２６を脱落させても、ガスケット３０が凍り付いて扉４を開けることができなくなる場合がある。
【００２３】
係る場合には監禁された作業員は監禁警報スイッチ１０を押す。マイクロコンピュータＭＣはこの監禁警報スイッチ１０が押されると、ステップＳ２からステップＳ３に進み、監禁警報フラグをセットする。次に、ステップＳ４からステップＳ５に進んで前記冷却ファン７を停止し、前記液電磁弁を閉若しくは圧縮機の運転を停止する。これにより、貯蔵室５内の冷却は停止する。
【００２４】
次に、マイクロコンピュータＭＣはステップＳ６で霜取ヒータ３２に通電して発熱させ、貯蔵室５内を加熱すると共に、ステップＳ７で表示部５３に監禁警報表示をデジタルで行う。また、ステップＳ８で監禁警報出力を閉とし、ブザー５２を鳴動させる。これにより、貯蔵室５内のそれ以上の冷却は停止すると共に、霜取ヒータ３２によって温度は上昇傾向に転ずる。また、警報表示やブザーの鳴動によって外部の作業員に異常発生を報知し、救出を促す。
【００２５】
次に、ステップＳ１に戻り、今度はステップＳ９に進む。ステップＳ９では前記キースイッチ４４の警報解除スイッチが押されたか判断し、押されていなければステップＳ４に進んで上記監禁警報動作を継続する。外部の作業員が異常に気付いて監禁された作業員が救出された場合、警報解除スイッチを押せばマイクロコンピュータＭＣはステップＳ９からステップＳ１０に進んで監禁警報フラグをリセットするので、以後はステップＳ４からステップＳ１１に進むようになり、監禁警報は停止して通常の冷却動作に復帰する。
【００２６】
【発明の効果】
以上詳述した如く本発明によれば、人が出入りする扉を備え、冷却装置により貯蔵室内を冷却して成る冷却貯蔵庫において、貯蔵室内に設けられた監禁警報スイッチと、冷却装置の運転を制御する制御装置を設け、この制御装置により、監禁警報スイッチが操作された場合、貯蔵室外への所定の警報動作を実行すると共に、冷却装置の運転を停止するようにしたので、扉の故障などにより、貯蔵室内に人が監禁された場合、監禁警報スイッチが操作されれば、貯蔵室外へ所定の警報動作を実行するのに加えて、冷却装置の運転が停止されるようになる。
【００２７】
これにより、万一警報が気付かれない場合にも、貯蔵室内が冷却装置によってそれ以上冷却されることを回避することができるようになり、監禁された人の生命が危険な状態に陥る危険性を低減することができるようになる。
【００２８】
特に、監禁警報スイッチが操作された場合、冷却装置が備える霜取ヒータに通電するようにしたので、霜取ヒータによって貯蔵室内の温度を上昇させ、監禁された人が低温により衰弱する危険性を最小限に抑えることが可能となるものである。
【図面の簡単な説明】
【図１】  本発明の冷却貯蔵庫の断面図である。
【図２】  本発明の冷却貯蔵庫の扉の要部断面図である。
【図３】  本発明の冷却貯蔵庫の制御装置のブロック図である。
【図４】  図３の制御装置のマイクロコンピュータのプログラムを示すフローチャートである。
【符号の説明】
１  冷却貯蔵庫
２  断熱壁
４  扉
５  貯蔵室
６  冷却器
７  冷却ファン
８  温度センサ
１０  監禁警報スイッチ
１２  制御装置
５２  ブザー
５３  表示部
ＭＣ  マイクロコンピュータ
【図１】
0003913436.tif 000002
【図２】
0003913436.tif 000003
【図３】
0003913436.tif 000004
【図４】
0003913436.tif 000005